(57)【要約】【課題】様々なカメラアングルでの安定した撮影と疲労の少ない長時間撮影とを可能にするカメラ一体型記録再生装置を提供する。【解決手段】レンズ部１と本体筐部２とを直列配置し、本体筐部２の側面２ｂ側にグリップ部３を、その反対側側面２ｃに液晶モニター４を備え、グリップ部３は記録再生部８を内蔵して本体筐部２に対して回動可能にした。また、グリップ部３の前端部３ａをレンズ群１Ｄの後端部よりも後方に、後端部３ｅを撮像素子５Ａよりも後方に位置させた。さらに、本体筐部２及びレンズ部１のグリップ部３が回動可能な範囲の面を凹部１Ｆ，２Ａにした。加えて、グリップ部の開閉カバー部３Ｃとグリップベルト１２との間に手を挿入して開閉カバー部３Ｃを把持したまま、この開閉カバー３Ｃを外側方向に開いてグリップ部３の天面３ｄを開口させ記録媒体９を装填又は取り出し可能にした。【選択図】　　　図１
2004112026.tif 000002
【特許請求の範囲】
【請求項１】
撮像レンズ群を内蔵したレンズ部と、
撮像素子と回路基板とを内蔵して略直方体に形成し、前記レンズ部の反被写体側に連接配置した本体筐部と、
前記本体筐部の一側面側に備えられた把持可能なグリップ部と、
前記本体筐部を挟んで前記一側面の反対側に備えられた液晶モニターとから成り、
前記グリップ部に記録媒体を用いて記録再生を行う記録再生部を内蔵すると共に、前記グリップ部を前記レンズ群の光軸に対して略直交する方向の回動軸を中心として回動可能に構成したことを特徴とするカメラ一体型記録再生装置。
【請求項２】
前記グリップ部の長手方向が前記光軸方向となる位置に回動させた状態において、前記グリップ部の被写体側端部を前記レンズ群の反被写体側端部よりも被写体側に位置させると共に前記グリップ部の反被写体側端部を前記撮像素子よりも反被写体側に位置させたことを特徴とする請求項１記載のカメラ一体型記録再生装置。
【請求項３】
前記本体筐部及び前記レンズ部における前記グリップ部が回動可能な範囲の面を、凹部として形成したことを特徴とする請求項２記載のカメラ一体型記録再生装置。
【請求項４】
前記グリップ部は、
前記グリップ部を把持する手を押圧するグリップベルトと、
前記グリップ部の側面及び天面それぞれの少なくとも一部を含んで成る開閉カバー部とを備え、
前記グリップベルトと前記開閉カバー部との間に操作者の手が挿入され該開閉カバー部が前記手で把持された状態のまま、該開閉カバー部が外側に開くことで前記グリップ部の天面が開口し、該開口部分から前記記録媒体の装填又は取り出しを可能とするように構成したことを特徴とする請求項１乃至３のいずれか１項に記載のカメラ一体型記録再生装置。
【請求項５】
前記記録媒体はテープであることを特徴とする請求項１乃至４のいずれか１項に記載のカメラ一体型記録再生装置。
【発明の詳細な説明】
【０００１】
【発明の属する技術分野】
本発明はカメラ一体型記録再生装置に係り、特に液晶モニターを備えたカメラ一体型記録再生装置に好適に利用できるものである。
【０００２】
【従来の技術】
従来、例えばビデオテープレコーダ（以下、ＶＴＲ）を記録再生装置とし、これをカメラ部と光軸方向に略並列に配置して一体化したカメラ一体型ＶＴＲが知られており、特に、本体を支持するために把持するグリップ部に液晶モニターを内蔵して本体側面に備え、適切な手首の角度で撮影できるようにこのグリップ部を回動可能にしたものが開発されている。
このような、カメラ一体型ＶＴＲの例として特許文献１に記載されたものがある。
【０００３】
【特許文献１】
特開平７−２２６８７１号公報
【０００４】
しかしながら、一般に、通常の撮影アングルを含めた様々な撮影アングルにおいて、手首の最適角度と液晶モニターの観察角度とは必ずしも一致するものではなく、この例においても、実用上可能な撮影アングルは限定され、また、通常の撮影アングルにおいても手首が疲労して長時間の撮影が困難であるという問題があった。
さらに、液晶モニターでモニタリングをしながら自分自身を撮影することが不可能であるという問題があった。
【０００５】
一方、レンズ部と重いＶＴＲとが光軸に対して並列に配置されているので本体の重心位置がグリップを把持する手首から遠くなり、前後方向を軸とする大きな回転モーメントが手首に加わって容易に疲労してしまうことから長時間の手持ち撮影が困難であるという問題があった。
【０００６】
この大きな回転モーメント負荷を低減すべく本体の重心位置を手首に近づけるためにレンズ部と重いＶＴＲとを直列に配置してグリップと本体の重心との前後方向の位置を近接させると、グリップ位置が後端側に偏って極めて扱いにくい形態になってしまう。また、グリップを本体のほぼ中央に配置すると、通常は後方が重いので左右方向を軸とする大きな回転モーメントが手首に加わって長時間の手持ち撮影が困難になるという問題があった。
【０００７】
【発明が解決しようとする課題】
そこで本発明が解決しようとする課題は、様々なカメラアングルでの安定した撮影と疲労の少ない長時間の撮影とを可能とするカメラ一体型記録再生装置を提供することにある。
【０００８】
【課題を解決するための手段】
上記の課題を解決するために、本願発明は手段として次の構成を有する。
即ち、請求項１は、撮像レンズ群１Ｄを内蔵したレンズ部１と、撮像素子１３Ａと回路基板５Ａとを内蔵して略直方体に形成し、前記レンズ部１の反被写体側に連接配置した本体筐部２と、
前記本体筐部２の一側面２ｂ側に備えられた把持可能なグリップ部３と、
前記本体筐部２を挟んで前記一側面２ｂの反対側に備えられた液晶モニター４とから成り、
前記グリップ部３に記録媒体９を用いて記録再生を行う記録再生部８を内蔵すると共に、前記グリップ部３を前記レンズ群１Ｄの光軸Ｌに対して略直交する方向の回動軸３Ｂを中心として回動可能に構成したことを特徴とするカメラ一体型記録再生装置であり、
請求項２は、前記グリップ部３の長手方向が前記光軸Ｌ方向となる位置に回動させた状態において、前記グリップ部３の被写体側端部３ａを前記レンズ群１Ｄの反被写体側端部よりも被写体側に位置させると共に前記グリップ部３の反被写体側端部３ｅを前記撮像素子１３Ａよりも反被写体側に位置させたことを特徴とする請求項１記載のカメラ一体型記録再生装置であり、
請求項３は、前記本体筐部２及び前記レンズ部１における前記グリップ部３が回動可能な範囲の面を、凹部１Ｆ，２Ａとして形成したことを特徴とする請求項２記載のカメラ一体型記録再生装置であり、
請求項４は、前記グリップ部３は、前記グリップ部３を把持する手を押圧するグリップベルト１２と、前記グリップ部３の側面３ｂ及び天面３ｄそれぞれの少なくとも一部を含んで成る開閉カバー部３Ｃとを備え、前記グリップベルト１２と前記開閉カバー部３Ｃとの間に操作者の手が挿入され該開閉カバー部３Ｃが前記手で把持された状態のまま、該開閉カバー部３Ｃが外側に開くことで前記グリップ部３の天面３ｄが開口し、該開口部分から前記記録媒体９の装填又は取り出しを可能とするように構成したことを特徴とする請求項１乃至３のいずれか１項に記載のカメラ一体型記録再生装置であり、
請求項５は、前記記録媒体９はテープ９Ａであることを特徴とする請求項１乃至４のいずれか１項に記載のカメラ一体型記録再生装置である。
【０００９】
【発明の実施の形態】
本発明の実施の形態を、好ましい実施例により図１乃至図１３を用いて説明する。
図１は、本発明のカメラ一体型記録再生装置の実施例を示す平面図であり、
図２は、本発明のカメラ一体型記録再生装置の実施例を示す左側面図であり、
図３は、本発明のカメラ一体型記録再生装置の実施例を示す正面図であり、
図４は、本発明のカメラ一体型記録再生装置の実施例を示す右側面図であり
図５は、本発明のカメラ一体型記録再生装置の実施例を示す背面図であり、
図６は、本発明のカメラ一体型記録再生装置の実施例を示す底面図であり、
図７は、本発明のカメラ一体型記録再生装置の実施例における記録媒体の装填と取り出しについて説明する斜視図であり、
図８は、本発明のカメラ一体型記録再生装置の実施例における記録媒体の装填と取り出しについて説明する別の斜視図であり、
図９は、本発明のカメラ一体型記録再生装置の実施例における記録媒体の装填と取り出しについて説明する背面図であり、
図１０は、本発明のカメラ一体型記録再生装置の実施例におけるグリップ部の回動について説明する側面図であり、
図１１は、本発明のカメラ一体型記録再生装置の実施例における重心位置を説明する平面図であり、
図１２は、本発明のカメラ一体型記録再生装置の実施例におけるグリップ部を説明するその斜視図であり、
図１３は、本発明のカメラ一体型記録再生装置の実施例における形態を説明する模式的平面図である。
【００１０】
まず、本実施例の構成について説明する。
図１乃至図６の各投影図で明らかなように、本実施例のカメラ一体型記録再生装置は、被写体からの光を反被写体側に出光するレンズ群１Ｄを内蔵したレンズ部１と、この光を電気信号に変換する撮像素子１３Ａを有するカメラ部１３及び回路基板５Ａを有してこの再生装置全体を制御する制御部５とを内蔵してレンズ１の反被写体側に連接配置した本体筐部２と、本体筐部２の左側面２ｂ側に回動可能に配置されて記録再生部８を内蔵したグリップ部３と、液晶表示素子（ＬＥＤ）を内臓して本体筐部２の右側面２ｃに開閉可能に配置された液晶モニター４とを備えて構成される。
液晶モニター４の開閉角度範囲については、図１（ｂ）の矢印Ａで示される。
【００１１】
各図の内、図１（ａ），図５（ａ）は液晶モニター４を閉じた状態を、また、図１（ｂ），図５（ｂ）は液晶モニター４を開いた状態を示している。
次に、各部材についてその詳細を説明する。
【００１２】
（１）レンズ鏡筒１
レンズ部１は、レンズ群１Ｄを内蔵したレンズ鏡筒１Ｃからなる電動ズームレンズであり、後述する電動ズームボタン３Ｅ４の操作あるいはレンズ鏡筒１Ｃに装着されたズームリング１Ａの回動操作により像倍率を変えることができるものである。Ｌはレンズ群１Ｄの光軸Ｌである。
【００１３】
このレンズ部１の先端には着脱自在にフード１Ｂが取り付けられている。
また、レンズ部１の左側面の本体筐部２側部分には、その一部が切除された形状の凹部１Ｆが、後述する本体筐部２の凹部２Ａと連続した形状となるように設けられる。
【００１４】
（２）本体筐部２について
本体筐部２は、レンズ部１を通過した光を受光する撮像素子１３Ａを有するカメラ部１３と、回路基板５Ａ等を有する制御部５とを内蔵して略箱形に構成される。
その天面２ｄの背面２ｅ側の部分には固定式ビューファインダ６が備えられ、ビューファインダ６の先端にはアイキャップ６Ａが取付られる。
【００１５】
また、本体筐部２は、その内部に強度確保の為に金属で形成されたシャーシフレーム（図示せず）を有しており、マイクユニットや可搬用ハンドル等を取り付けるための天面２ｄの前方部分に設けられたアクセサリーシュー１０がこのシャーシフレームに固定され、底面２ｆには、三脚に取り付ける為の雌ネジ１１Ａを形成した三脚ベース１１がこのシャーシフレームと一体に設けられている（図６参照）。
【００１６】
背面２ｅには、例えば図４においては二点鎖線で示すように、バッテリー７が着脱自在に取り付けられる。
本体筐部２の左側面２ｂの前方部分には、上述のように、その一部が切除された形状の凹部２Ａが設けられる。そして、グリップ部３は凹部１Ｆ，２Ａにはまり込むように装着されている。
【００１７】
（３）グリップ部３
グリップ部３には、図１（ａ）に破線で示すように、記録媒体９を介して映像信号の記録や再生を行う記録再生部８が内蔵される。
本実施例においては、その記録媒体９（図１（ａ），図７参照）としてテープ９Ａを使用した記録再生部を搭載しているが、他の記録媒体、例えばディスク９Ｂや固体メモリー９Ｃを使用する記録再生部８でもよい。
【００１８】
グリップ部３は、光軸に略直交する方向の回動軸３Ｂ（図２参照）を中心に、本体筐部２に対して所望の角度に回動し、その任意の位置で保持可能に構成される。
このグリップ部３を把持した際に加わる本カメラ一体型記録再生装置の質量を支えるため、回動軸３Ｂはシャーシフレームに設けた軸受け（図示せず）に軸支される。
そして、このグリップ部３の回動機構は、ノイズをできる限り発生させないように摺動構造を基本として摩擦により各部材を保持する構造を多用している。
【００１９】
このグリップ部３の外観について図１２を用いて詳述する。
図１２（ａ）は、これを本体筐部２の左側後方から、図１２（ｂ）は左側前方から見た斜視図である。
当図に示すように、グリップ部３の側面３ｂのほぼ中央部には、記録再生部８に記録媒体９が装填されているか否かが視認できるように透明の窓部３Ａが設けられ、記録媒体９がテープ９Ａの場合にはテープ９Ａの走行状態も視認できるようにされている。
このグリップ部３の筐体は、その側面３ｂの一部，天面３ｄ，正面３ａ及び背面３ｅの一部が一体となった開閉カバー部３Ｃを有し、これと、その他の部分の固定カバー部３Ｄとの２つの部分から成る。
開閉カバー部３Ｃは図１２においてハッチングで囲った部分である。
【００２０】
これらのカバー部３Ｃ，３Ｄは、把持力等による変形の防止と軽量化のためマグネシウム合金を用いて形成される。もちろん他の材料でもよいが、強度の点から金属で形成されるのが望ましい。
また、開閉カバー部３Ｃの天面３ｄの前面側には、これを把持した際の指掛けとするために凹部３Ｆ１と凸部３Ｆ２とからなる指掛部３Ｆが形成されている。
さらに、開閉カバー部３Ｃが、側面３ｂの下方に設けた光軸方向の回動軸３Ｈ（図９参照）を中心に所定角度だけ外側に回動することでグリップ部３の天面３ｄが開口し、上方からの記録媒体９の装填、取り出しが可能となっている。
【００２１】
一方、このグリップ部３には、これを把持した状態で様々な機能制御を可能とするように所望のスイッチやノブ類及び表示器が集中して設けられる。
具体的には次のものである。
【００２２】
正面３ａには、タリーランプ３Ｅ１とリモコン受光窓部３Ｅ２が備えられる。
【００２３】
天面３ｄには、静止画切替ボタン３Ｅ３，シーソ式の電動ズームボタン３Ｅ４及び開閉カバー部３Ｃの開閉スライドノブ３Ｅ５が備えられる。
【００２４】
背面３ｅには、電源投入表示ＬＥＤ３Ｅ６，スタート／ストップスイッチ３Ｅ７，メインファンクション切替スイッチ３Ｅ８，グリップベルト固定孔３Ｅ９及びグリップ部３の回動ロックあるいは解除を行うロック／リリースレバー３Ｅ１２が備えられる。
【００２５】
側面３ｂには、前述の窓部３Ａと前方に張り出したグリップベルト折り返し用孔３Ｅ１０が設けられている。さらに、アジマス調整孔が開口され、それを塞ぐ調整孔キャップ３Ｅ１１がはめ込まれている。
【００２６】
これらのスイッチやノブ類は、図８に示すように、手でこのグリップ部３を把持した状態において、指が自然にかかる位置又はその近傍に配置される。
具体的には、電動ズームボタン３Ｅ４及び静止画ボタン３Ｅ３は人差し指と中指が掛かる位置に、また、スタート／ストップスイッチ３Ｅ７，ロック／リリースレバー３Ｅ１２及びメインファンクション切替スイッチ３Ｅ８は親指が掛かる位置に配置される
【００２７】
もちろん、グリップ部３に設けるスイッチやノブ類及び表示器はこれらに限るものではない。
また、把持時に手の甲を適度に締め付けるグリップベルト１２が、グリップベルト固定孔３Ｅ９と折り返し用孔３Ｅ１０間に装着される（図２，図５及び図８参照）。
従って、グリップベルト１２に通した手を抜くことなく様々な機能制御が可能であり、安定した撮影が容易に行える構成になっている。
【００２８】
（４）液晶モニター４
液晶モニター４は、モニターケース４Ａ，液晶表示部４Ｂ及びヒンジ部４Ｃとから構成される（図５（ｂ）参照）。
ヒンジ部４Ｃは、図示しないシャーシフレームと係合して光軸に直交する方向の上下方向の回動軸４Ｄ１を中心として約９０度の範囲（図１（ｂ）の矢印Ａの範囲）で回動可能に、そして、その範囲内の任意の位置で保持可能に構成される。
【００２９】
さらに、モニターケース４Ａは、ヒンジ部４Ｃに対して、光軸に直交する方向で左右方向の回動軸４Ｄ２を中心として液晶表示部を上向きに約９０度、下向きに約９０度の計１８０度の範囲で回動可能に、そして、その範囲内の任意の位置で保持可能に構成される。
【００３０】
このように、液晶モニター４は、前述のグリップ部３とは完全に独立して、その液晶表示部４Ｂが任意の方向を向いて保持可能にされるので、様々なアングルでの撮影を疲労することなく長時間行うことができる。
【００３１】
次に、本実施例の動作について説明する。
（Ａ）グリップ部３の回動動作（図１，図１０及び図１１参照）
本実施例におけるグリップ部３は、前述のように、撮影アングルに応じて最適な体勢で撮影できるように回動可能に構成されている。（図１０においては液晶モニターは表されていない）
【００３２】
まず、基本的な撮影時においては、液晶モニター４を約９０度開き、グリップ部３を水平位置にする（これをノーマル位置と称する（図１０（ａ）参照））。
そして、ローアングル時は、液晶モニター４を上向きにし、グリップ部３を図１０における右回りの任意の角度回動させた位置にする（これをローアングル位置と称する（図１０（ｂ）参照））。
液晶モニター４とグリップ部３をこのような位置にすることによって手首を左回りにひねる必要がなくなり、常に腕を体に近づけた、いわゆる脇を固めた体勢での安定した撮影が可能となる。
【００３３】
さらに、ハイアングル時は、液晶モニター４を下向きにし、グリップ部３を図１０における左回りに回動させた位置にする（これをハイアングル位置と称する）。
このハイアングルの撮影では、グリップ部３がノーマル位置であっても、腕を伸ばすことにより手首をひねらずに撮影が可能であるので、グリップ部３はノーマル位置に対して少なくとも右回りに回動可能であればよい。
【００３４】
本実施例では、ノーマル位置に対して左右回りにそれぞれ９０度の範囲で可変できる構造とされるが、必要に応じて９０度以上に設定してもよく、また９０度未満であっても、本記録再生装置の本体形状や使用状況に応じて最適な角度に設定することができる。図１０（Ｃ）は、右回りに９０度回動した状態を示している。
【００３５】
ところで、本実施例は、グリップ部３の回動軸３Ｂと、液晶モニター４を開いた状態での本カメラ一体形記録再生装置（バッテリー７の装着状態）の重心Ｇとの前後方向位置を略一致させた構成としている（図１１参照）。
これは、グリップ部３に重い記録再生部８を内蔵したことにより可能となった構成であり、把持した際に手首にかかる回動軸３Ｂ回りの回転モーメントを極少にし、疲労の少ない長時間撮影を可能とするものである。
【００３６】
さらに、液晶モニター４の開閉における回動軸４Ｄ１，４Ｄ２の前後方向位置も略一致させ、液晶モニター４の向きによらずに手首への負担を最小限にしている。
【００３７】
また、レンズ部１と本体筐部２とを光軸方向に直列に配置すると共に、大きな質量を有する記録再生部８をグリップ部３に内蔵したことで、手首に加わる前後方向を軸とする回転モーメントが極めて小さくなるので、疲労の少ない長時間撮影が可能である。
【００３８】
加えて前述のように、グリップ部３は、レンズ部１と本体筐部２に設けた凹部１Ｆ，２Ａにはまり込む構成となっているので、手首と重心Ｇとの位置がより接近して更に疲労の少ない長時間撮影が可能になっている。
【００３９】
このように、グリップを把持した手首に加わる左右方向を軸とする回転モーメントが無く、前後方向を軸とする回転モーメントが極めて小さいことから、疲労の極めて少ない撮影を行うことができるものである。
そして、この効果は記録再生部８の質量が大きい程顕著であるので、記録媒体としてＤＶＣ（デジタルビデオカメラ）テープに代表されるようなテープを用いた比較的重い記録再生部の場合に特に有効なものである。
【００４０】
（Ｂ）記録媒体の装填及び取り出し（図５，図７，図８及び図９参照）
前述のように、グリップ部３の開閉カバー部３Ｃは、その側面３ｂの下方に設けたカバー回転軸３Ｈを中心に所定角度外側に回動することでグリップ部３の天面３ｄが開口し、上方からの記録媒体９の装填や取り出しを可能としている（図７参照）。
【００４１】
さらに、前述のように、開閉カバー部３Ｃは、その天面３ｄを含んでマグネシウム合金で形成すると共に、固定カバー３Ｄ側とをステー３Ｇで連結させている。これにより、開閉カバー３Ｃが開いた状態で回転軸３Ｈに無理な力が加わることがなく、開閉カバー３Ｃのみを把持しても本体筐部２等を充分支持することができる。
【００４２】
そして、グリップベルト固定孔３Ｅ９とグリップベルト折り返し用孔３Ｅ１０との両方がグリップ部３に設けられているので、グリップベルト１２と、これと開閉カバーとの間に挿入した操作者の手との位置関係は、グリップ部３を回動させても変わることがない。従って、グリップベルト１２は手の甲を常に同じ状態で締め付ける。
その結果、グリップ部３の回動位置が何処であっても、グリップベルト１２から手を抜くことなく、グリップ部３を把持した状態のまま記録媒体９の装填や取り出しが可能な構成となっている。この状態を図８に表している。
【００４３】
これにより、撮影ポジションを変えたり、グリップを把持する手の持ち変えをすることなく記録媒体の交換等が迅速にできるので、撮影タイミングを逃すことがなくスムーズな撮影が可能である。
【００４４】
一方、図９に示すように、開閉カバー３Ｃの開閉は、本体筐部２の底面２ｆより上側の領域で行われるので、三脚の雲台１４に固定した状態、あるいはテーブル等の平らな場所に置いたままの状態でも、グリップ部をノーマル位置にしておけば雲台１４から外したり横置きにしたりすることなく記録媒体９の装填や取り出しを行うことが可能である。
【００４５】
以上詳述した本実施例の要部の配置構成を、図１３（ａ）を用いて説明する。
当図は、レンズ部１，本体筐部２及びグリップ部３の光軸方向の位置関係を説明する模式的平面図である。
【００４６】
本実施例は、レンズ部１と本体筐部２とを光軸方向に直列に配置し、それぞれの側面に凹部１Ｆ，２Ａ設けてその部分に、記録再生部８を内蔵したグリップ部３がはまり込むように配置されていることが特徴である。
従って、グリップ部３は、光軸方向においてレンズ部１と本体筐部２とにまたがって配置されている。
【００４７】
この構成にすることにより、前述のように、グリップ部３の回動軸３Ｂと本記録再生装置の重心Ｇとの光軸方向位置を近接させたり略一致させることが可能となる。
【００４８】
レンズ部１と本体筐部２との境界は、レンズ交換可能で構造的に分離される場合は明確である。
しかしながら、構造的に分離できない場合は、少なくともグリップ部３の正面３ａが、レンズ部１が内蔵するレンズ群１Ｄの最後方レンズ１Ｅの最後方端よりも前方（被写体側）に位置し、かつ、グリップ３の背面３ｅが、本体筐部２が内蔵する撮像素子１３Ａの前面よりも後方（反被写体側）に位置していればよい。
【００４９】
また、グリップ部３は、図１３（ｂ）に示すように側面にはまり込むことなく配置してもよいが、前述のように、手首に加わる光軸回り方向の回転モーメントが小さくなるので図１３（ａ）に示すように凹部１Ｆ，２Ａを設けてはまり込むようにして、手と重心Ｇとをより接近させるように配置することが望ましい。
【００５０】
本実施例においては、本体筐部２とは独立した筐体である固定カバー３Ｄを有するグリップ部３に記録再生部８を内蔵したことで、更に以下の効果が得られる。
【００５１】
本体筐部２のアクセサリシュー１０にマイクを取り付けた場合に、記録再生部８から発生する雑音が採音されにくくなっており、記録する音声品質が向上する。
【００５２】
回路基板５Ａと記録再生部８間にグリップ部３の筐体として金属で形成した固定カバー部３Ｄが存在するので、シールド効果が向上してノイズが低減し、音声や映像の品質が向上する。
【００５３】
また、回路基板５Ａと記録再生部８を分離したことでそれぞれの放熱効果が高まって温度上昇が抑制され、その結果、製品寿命が長くなり、信頼性も向上する。
【００５４】
本体筐部２に記録再生部８が内蔵されてないことから、本体筐部２を比較的軽量に形成できる分レンズ部１に重量を与えることが可能となり、高ズーム比にしたり大口径レンズを搭載した明るいレンズ構成にすることができ、光学的により高性能なカメラ一体型記録再生装置にすることができる。
【００５５】
また、本発明の実施例は、上述した構成に限定されるものではなく、本発明の要旨を逸脱しない範囲において変更が可能であることは言うまでもない。
【００５６】
【発明の効果】
以上詳述したように、本願発明によれば、本体筐部とレンズ部とを光軸方向に直列に配置し、本体筐部の一側面側に備えられたグリップ部に大きな質量を有する記録再生部を内蔵すると共にこのグリップ部を光軸に対して略直交する回動軸回りに回動可能としたので、グリップ部を把持する手首に加わる回転モーメントが小さくなり疲労が少ない長時間撮影が可能になると共に様々なアングルでの撮影が可能となる。
【００５７】
また、記録再生部を内蔵したグリップ部の長手方向を光軸方向とする回動位置において、グリップ部の被写体側端部（前端部）をレンズ群の反被写体側端部（後端部）よりも被写体側（前方）に位置させると共に、グリップ部の反被写体側端部（後端部）を撮像素子よりも反被写体側（後方）に位置させているので、グリップ部の回動軸と本カメラ一体型記録再生装置の重心との光軸方向位置を近接又は略一致させることができる。
これにより、グリップ部を把持する手首に加わるこの回動軸回りの回転モーメントが極めて小さくなって疲労の少ない長時間撮影が可能となる。
【００５８】
さらに、レンズ部及び本体筐部の側面にグリップ部の回動範囲を凹部として設け、その凹部にグリップ部をはまり込むように配置したので、グリップ部を把持する手首と本カメラ一体型記録再生装置の重心との位置がより接近してさらに疲労の少ない長時間撮影が可能となる。
【００５９】
加えて、グリップ部がどの回動位置にあっても、グリップ部の開閉カバー部とグリップベルトとの間に手を挿入してグリップ部を把持したまま、開閉カバー部を外側方向に開いてグリップ部の天面を開口させて記録媒体の装填又は取り出しができる。
これにより、撮影ポジションを変えたりグリップ部を把持する手の持ち替えをすることなく記録媒体の交換等が迅速に行えるので、撮影タイミングを逃すことがなくスムーズな撮影が可能となる。
【図面の簡単な説明】
【図１】本発明のカメラ一体型記録再生装置の実施例を示す平面図である。
【図２】本発明のカメラ一体型記録再生装置の実施例を示す左側面図である。
【図３】本発明のカメラ一体型記録再生装置の実施例を示す正面図である。
【図４】本発明のカメラ一体型記録再生装置の実施例を示す右側面図である。
【図５】本発明のカメラ一体型記録再生装置の実施例を示す背面図である。
【図６】本発明のカメラ一体型記録再生装置の実施例を示す底面図である。
【図７】本発明のカメラ一体型記録再生装置の実施例における記録媒体の装填と取り出しについて説明する斜視図である。
【図８】本発明のカメラ一体型記録再生装置の実施例における記録媒体の装填と取り出しについて説明する別の斜視図である。
【図９】本発明のカメラ一体型記録再生装置の実施例における記録媒体の装填と取り出しについて説明する背面図である。
【図１０】本発明のカメラ一体型記録再生装置の実施例におけるグリップ部の回動について説明する側面図である。
【図１１】本発明のカメラ一体型記録再生装置の実施例における重心位置を説明する平面図である。
【図１２】本発明のカメラ一体型記録再生装置の実施例におけるグリップ部を説明する斜視図である。
【図１３】本発明のカメラ一体型記録再生装置の実施例における形態を説明する模式的平面図である。
【符号の説明】
１　レンズ部
１Ａ　ズームリング
１Ｂ　フード
１Ｃ　レンズ鏡筒
１Ｄ　レンズ群
１Ｅ　最後尾レンズ
１Ｆ　凹部
２　本体筐部
２Ａ　凹部
２ａ　（本体の）正面
２ｂ　（本体の）左側面
２ｃ　（本体の）右側面
２ｄ　（本体の）天面
２ｅ　（本体の）背面
２ｆ　（本体の）底面
３　グリップ部
３Ａ　窓部
３Ｂ　回動軸
３Ｃ　開閉カバー部
３Ｄ　固定カバー部
３Ｅ１　タリーランプ
３Ｅ２　リモコン受光窓部
３Ｅ３　静止画ボタン
３Ｅ４　電動ズームボタン
３Ｅ５　開閉スライドノブ
３Ｅ６　電源投入表示ＬＥＤ
３Ｅ７　スタート／ストップスイッチ
３Ｅ８　メインファンクション切替スイッチ
３Ｅ９　グリップベルト固定孔
３Ｅ１０　グリップベルト折り返し孔
３Ｅ１１　調整孔キャップ
３Ｅ１２　ロック／リリースレバー
３Ｆ　指掛部
３Ｆ１　凹部
３Ｆ２　凸部
３Ｇ　ステー
３Ｈ　（カバー）回転軸
３ａ　（グリップ部の）正面
３ｂ　（グリップ部の）側面
３ｄ　（グリップ部の）天面
３ｅ　（グリップ部の）背面
４　液晶モニター
４Ａ　モニターケース
４Ｂ　液晶表示部
４Ｃ　ヒンジ部
４Ｄ１，４Ｄ２　回動軸
５　制御部
５Ａ　回路基板
６　（固定式）ビューファインダー
６Ａ　アイキャップ
７　バッテリー
８　記録再生部
９　記録媒体
９Ａ　テープ
９Ｂ　ディスク
９Ｃ　固体メモリー
１０　アクセサリシュー
１１　三脚ベース
１２　グリップベルト
１３　カメラ部
１３Ａ　撮像素子
１４　雲台
Ａ　角度範囲
Ｇ　重心
Ｌ　光軸
【図１】
2004112026.tif 000003
【図２】
2004112026.tif 000004
【図３】
2004112026.tif 000005
【図４】
2004112026.tif 000006
【図５】
2004112026.tif 000007
【図６】
2004112026.tif 000008
【図７】
2004112026.tif 000009
【図８】
2004112026.tif 000010
【図９】
2004112026.tif 000011
【図１０】
2004112026.tif 000012
【図１１】
2004112026.tif 000013
【図１２】
2004112026.tif 000014
【図１３】
2004112026.tif 000015